(57)【要約】【課題】印刷装置において、メニュー項目及びフォント数をカウントし、カウントしたメニュー項目及びフォント数に基づいて、メニュー印刷及びフォント印刷のレイアウトを設定することによって、印刷媒体のページを減らすことができ、前記印刷媒体や現像剤の消費量を低減することができるようにする。【解決手段】印刷媒体のサイズを検出するサイズ検出部と、前記サイズと印刷データとを比較するサイズ比較部と、前記印刷データが前記印刷媒体外にはみ出すと判定すると印刷のレイアウトを変更するレイアウト変更部とを有する。【選択図】          図１
2004223941.tif 000002
【特許請求の範囲】
【請求項１】
（ａ）印刷媒体のサイズを検出するサイズ検出部と、
（ｂ）前記サイズと印刷データとを比較するサイズ比較部と、
（ｃ）前記印刷データが前記印刷媒体外にはみ出すと判定すると印刷のレイアウトを変更するレイアウト変更部とを有することを特徴とする画像形成装置。
【請求項２】
（ａ）メニュー項目数をカウントするメニュー項目カウント部と、
（ｂ）カウントされたメニュー項目数に基づいてメニュー印刷のレイアウトを設定するレイアウト設定部と、
（ｃ）設定されたレイアウトに基づいて印刷媒体に前記メニュー印刷を行う印刷部とを有することを特徴とする画像形成装置。
【請求項３】
（ａ）フォント数をカウントするフォントカウント部と、
（ｂ）カウントされたフォント数に基づいてフォント印刷のレイアウトを設定するレイアウト設定部と、
（ｃ）設定されたレイアウトに基づいて印刷媒体に前記フォント印刷を行う印刷部とを有することを特徴とする画像形成装置。
【発明の詳細な説明】
【０００１】
【発明の属する技術分野】
本発明は、画像形成装置に関するものである。
【０００２】
【従来の技術】
従来、印刷装置において、メニューで設定されている項目や、前記印刷装置に接続されたり搭載されたりしているオプションのネットワークカード、ハードディスク、用紙トレイ、フィニッシャ等の周辺機器や付属機器に関する情報などを印刷するメニュー印刷を行う機能、及び、前記印刷装置の記憶手段に格納され、登録されている文字フォント等に関する情報を印刷するフォント印刷を行う機能を備えている（例えば、特許文献１参照。）。
【０００３】
そして、オペレータは、前記印刷装置におけるタッチパネル、押しボタン等の操作手段を操作することによって、印刷装置の機能に関するメニューを選択して前記メニュー印刷やフォント印刷を行わせることができるようになっている。これにより、前記オペレータは、前記周辺機器や付属機器の物理的構成に関するスペック、ドライバプログラム等の必要なソフトウェア等の情報や、前記印刷装置において使用可能な文字の形状（タイプフェイス）としての文字フォントに関する情報を把握することができる。
【０００４】
この場合、前記周辺機器や付属機器に関する情報や前記印刷装置の記憶手段に格納され、登録されている文字フォント等に関する情報は、紙等の印刷媒体に印刷される。なお、印刷結果は、１ページ分のデータが１ページの印刷媒体に印刷されるようになっている。
【０００５】
【特許文献１】
特開平１１−４２８３６号公報
【０００６】
【発明が解決しようとする課題】
しかしながら、前記従来の印刷装置においては、メニュー印刷やフォント印刷を行う場合、すべての情報を印刷媒体に印刷するようになっているので、印刷ページが複数になり、紙等の印刷媒体やトナー、インク等の現像材を浪費してしまうという問題があった。
【０００７】
例えば、オペレータが前記印刷装置の操作手段を操作してメニュー印刷を行わせると、前記印刷装置の周辺機器や付属機器に関する情報のすべてが印刷媒体に印刷されるようになっている。そのため、印刷ページが複数になり、また、オペレータが必要としない周辺機器や付属機器に関する情報も印刷されるので、紙等の印刷媒体やトナー、インク等の現像剤を浪費してしまうことになる。
【０００８】
一般的な印刷装置におけるメニュー印刷の場合、１ページ内に印刷可能なメニュー情報に含まれる項目数は１３０であり、１３０以上になると印刷ページが２ページ以上になってしまう。さらに、ハードディスク、用紙トレイ、フィニッシャ等の周辺機器や付属機器がオプションとして選択されている場合には、印刷ページがさらに増えてしまう。
【０００９】
また、フォント印刷の場合、１ページ内に印刷可能な文字フォント数は通常４０なので、登録されている文字フォント数が４０以上になると印刷ページが２ページ以上になってしまう。そして、一般的な印刷装置の場合、あらかじめ登録されている文字フォントの数だけでも４０を超えており、オペレータが好みの文字フォントを追加して登録した場合には、フォント印刷においても、印刷ページが３ページ以上となってしまう。
【００１０】
本発明は、前記従来の画像形成装置の問題点を解決して、印刷装置において、メニュー項目及びフォント数をカウントし、カウントしたメニュー項目及びフォント数に基づいて、メニュー印刷及びフォント印刷のレイアウトを設定することによって、印刷媒体のページを減らすことができ、前記印刷媒体や現像剤の消費量を低減することができる画像形成装置を提供することを目的とする。
【００１１】
【課題を解決するための手段】
そのために、本発明の画像形成装置においては、印刷媒体のサイズを検出するサイズ検出部と、前記サイズと印刷データとを比較するサイズ比較部と、前記印刷データが前記印刷媒体外にはみ出すと判定すると印刷のレイアウトを変更するレイアウト変更部とを有する。
【００１２】
【発明の実施の形態】
以下、本発明の実施の形態について図面を参照しながら詳細に説明する。
【００１３】
図１は本発明の第１の実施の形態における印刷装置の構成を示すブロック図である。
【００１４】
図において、１１はオペレータが画像形成装置としての印刷装置におけるタッチパネル、押しボタン等の操作手段を操作して入力したキー情報を伝えるキー操作部、１２は印刷装置全体の総合的な制御として、入力されたキー情報の制御、メモリ等の記憶手段に格納されたデータの制御、印刷データの編集動作の制御、及び、印刷動作の制御等の制御を行う情報制御部、１３は印刷装置が受信した印刷データの編集を行い、印刷するレイアウトを設定する情報編集部、１４は印刷装置が受信した印刷データの印刷を行う情報印刷部、１５は印刷装置の文字フォントに関する情報を格納し、管理を行うフォント管理部、１６は印刷装置のメニュー情報を格納し、管理するメニュー管理部である。
【００１５】
ここで、前記印刷装置は、紙、プラスチックシート等の印刷媒体に文字や画像を印刷するための装置であり、例えば、電子式写真印刷装置、インクジェット式印刷装置、インクリボン式印刷装置であるが、いかなる種類の印刷装置であってもよい。なお、本実施の形態においては、前記印刷装置が電子式写真印刷装置である場合について説明する。また、前記印刷装置はネットワークカード、ハードディスク、用紙トレイ、フィニッシャ等の周辺機器や付属機器をオプションとして選択的に接続したり搭載したりすることができるようになっている。
【００１６】
そして、前記印刷装置は、印刷データが印刷媒体外にはみ出すと判定すると印刷のレイアウトを変更する機能を備えている。この場合、印刷媒体のサイズを検出し、該サイズと印刷行、項目数等の印刷データとを比較し、印刷データが印刷媒体外にはみ出す場合、４ページアップ印刷や縮小印刷を行う。また、前記印刷装置は、メニューであらかじめ設定されている項目や、前記周辺機器や付属機器に関する情報などを印刷するメニュー印刷を行う機能、及び、前記印刷装置の記憶手段に格納され、登録されている文字フォント等に関する情報を印刷するフォント印刷を行う機能を備えている。なお、前記文字フォントは、印刷装置にあらかじめ登録されている文字フォント、及び、オペレータが追加して登録した文字フォントを含むものである。
【００１７】
次に、前記構成の印刷装置の動作について説明する。まず、メニュー印刷時の印刷装置の動作について説明する。
【００１８】
図２は本発明の第１の実施の形態におけるメニュー情報のフォーマットを示す図、図３は本発明の第１の実施の形態における２ページアップでメニュー印刷を行う場合の例を示す図、図４は本発明の第１の実施の形態における４ページアップでメニュー印刷を行う場合の例を示す図、図５は本発明の第１の実施の形態におけるメニュー印刷時の印刷装置の動作を示すフローチャートである。
【００１９】
まず、印刷装置の電源が投入されると、情報制御部１２は、ネットワークカード、ハードディスク、用紙トレイ、フィニッシャ等の周辺機器や付属機器が接続されたり搭載されたりしているか否かを判断する。そして、前記周辺機器や付属機器が接続されたり搭載されたりしていない場合は、標準のメニュー情報を作成する。
【００２０】
ここで、該メニュー情報は図２に示されるようなフォーマットを有する。この場合、前記メニュー情報に含まれる項目、すなわち、アイテムはカテゴリに基づいて分類され、各カテゴリ毎に仕分けされている。そのため、前記メニュー情報のデータフォーマットにおいては、前記メニュー情報に含まれるカテゴリの数を示すカテゴリ数枠が最上位に配設され、該カテゴリ数枠の下に各カテゴリのデータが順次配設されている。そして、各カテゴリの内部においては、カテゴリの名称を示すカテゴリ名枠が最上位に配設され、該カテゴリ名枠の下に各アイテムのデータが順次配設されている。さらに、各アイテムの内部においては、アイテムの名称を示すアイテム名枠が最上位に配設され、該アイテム名枠の下に設定値等のデータが順次配設されている。
【００２１】
また、前記情報制御部１２は、前記周辺機器や付属機器が接続されたり搭載されたりしていると判断すると、前記標準のメニュー情報に、前記周辺機器や付属機器に関するカテゴリ、アイテムを追加したメニュー情報を作成する。なお、作成されたメニュー情報は、前記メニュー管理部１６において、格納され、管理される。
【００２２】
そして、オペレータが図示されない操作手段を操作することによってオペレーション操作が行われると、キー操作部１１は情報制御部１２にメニュー印刷を行うためのキー情報を送信する。すると、前記情報制御部１２はメニュー管理部１６に格納されているメニュー情報を取得する。そして、前記情報制御部１２は図２に示されるようなフォーマットを有するメニュー情報に含まれるすべてのアイテム数、及び、すべてのカテゴリ数をカウントする。
【００２３】
続いて、前記情報制御部１２は、メニュー項目数としての前記アイテム数とカテゴリ数の和がどの数値範囲にあるかを判断する。ここで、前記アイテム数とカテゴリ数の和が１３０以下である場合、前記情報制御部１２は情報編集部１３に１ページアップ処理を行わせる。そして、前記メニュー項目数としてのアイテム数とカテゴリ数の和が１３０以下である場合、「従来の技術」及び「発明が解決しようとする課題」において説明した従来の印刷装置と同様の方法でメニュー印刷を行っても、すべての情報は１ページ内に印刷することができる。そこで、前記情報編集部１３はメニュー情報に含まれるすべてのデータを従来の印刷装置と同様の方法で印刷するようにレイアウトを設定する。すなわち、メニュー情報に含まれるすべてのデータを１ページアップ印刷になるように編集する。そして、編集された前記データは情報印刷部１４に送信されて紙等の印刷媒体に印刷される。
【００２４】
また、前記アイテム数とカテゴリ数の和が１３１以上であり２６０以下である場合、前記情報制御部１２は情報編集部１３に２ページアップ処理を行わせる。前記アイテム数とカテゴリ数の和が１３１以上であり２６０以下である場合、従来の印刷装置と同様の方法でメニュー印刷を行うと印刷ページが２ページになる。そこで、前記情報編集部１３はメニュー情報に含まれるすべてのデータを従来の印刷装置と同様の方法で印刷するようにレイアウトを設定する。これにより、すべてのデータが２ページに印刷されるようなレイアウトが設定される。そして、前記情報編集部１３は印刷される図形、文字等の属性データとしての縮尺率を変更し、２ページに印刷される内容が１ページに印刷されるように前記図形、文字等を縮小する。さらに、前記情報編集部１３は縮小された２ページが通常の１ページに収まるようにページの配列を設定する。すなわち、前記情報編集部１３はメニュー情報に含まれるすべてのデータを２ページアップ印刷になるように編集する。そして、編集された前記データは情報印刷部１４に送信されて印刷媒体に印刷される。これにより、図３に示されるように、１ページの印刷媒体に２ページ分のデータが印刷される。
【００２５】
さらに、前記アイテム数とカテゴリ数の和が２６１以上である場合、前記情報制御部１２は情報編集部１３に４ページアップ処理を行わせる。前記アイテム数とカテゴリ数の和が２６１以上である場合、従来の印刷装置と同様の方法でメニュー印刷を行うと印刷ページが３ページ又は４ページになる。そこで、前記情報編集部１３はメニュー情報に含まれるすべてのデータを従来の印刷装置と同様の方法で印刷するようにレイアウトを設定する。これにより、すべてのデータが３ページ又は４ページに印刷されるようなレイアウトが設定される。そして、前記情報編集部１３は印刷される図形、文字等の属性データとしての縮尺率を変更し、４ページに印刷される内容が１ページに印刷されるように前記図形、文字等を縮小する。さらに、前記情報編集部１３は縮小された４ページが通常の１ページに収まるようにページの配列を設定する。すなわち、前記情報編集部１３はメニュー情報に含まれるすべてのデータを４ページアップ印刷になるように編集する。そして、編集された前記データは情報印刷部１４に送信されて紙等の印刷媒体に印刷される。これにより、図４に示されるように、１ページの印刷媒体に４ページ分のデータが印刷される。なお、前記アイテム数とカテゴリ数の和が２６１以上であっても、従来の印刷装置と同様の方法でメニュー印刷を行って印刷ページが５ページ以上となることは、実際にはほとんどないと考えられる。そのため、本実施の形態においては、前記アイテム数とカテゴリ数の和が２６１以上である場合、４ページアップ処理を行わせるようになっている。
【００２６】
次に、図５に示されるフローチャートについて説明する。
ステップＳ１  オペレーション操作を行う。
ステップＳ２  メニュー情報をメモリから取得する。
ステップＳ３  アイテム、カテゴリ数をカウントする。
ステップＳ４  アイテム、カテゴリ数はいくつであるかを判断し、１３０以下である場合はステップＳ５に進み、１３１以上であり２６０以下である場合はステップＳ６に進み、２６１以上である場合はステップＳ７に進む。
ステップＳ５  １ページアップ印刷になるようにデータを編集する。
ステップＳ６  ２ページアップ印刷になるようにデータを編集する。
ステップＳ７  ４ページアップ印刷になるようにデータを編集する。
ステップＳ８  データを印刷する。
【００２７】
このように、本実施の形態において、印刷装置のメニュー印刷を行う場合、メニュー項目をカウントし、カウントした結果に基づいて印刷を行うことによって、印刷されるページを減らすようになっている。すなわち、メニュー項目数が多く、従来の印刷装置と同様の方法でメニュー印刷を行うと印刷ページが２ページになる場合には、２ページアップ処理を行い、１ページの印刷媒体に２ページ分のデータを印刷する。また、メニュー項目数がさらに多く、従来の印刷装置と同様の方法でメニュー印刷を行うと印刷ページが３ページ又は４ページになる場合には、４ページアップ処理を行い、１ページの印刷媒体に３ページ又は４ページ分のデータを印刷する。これにより、メニュー印刷の際の紙やトナーの消費を低減することができる。さらに、環境に対する負荷を小さくすることができる。
【００２８】
次に、本発明の第２の実施の形態について説明する。なお、前記第１の実施の形態と同じ構成を有するものは、同じ符号を付与することにより、その説明を省略する。
【００２９】
図６は本発明の第２の実施の形態におけるフォント情報のフォーマットを示す図、図７は本発明の第２の実施の形態における２ページアップでフォント印刷を行う場合の例を示す図、図８は本発明の第２の実施の形態における４ページアップでフォント印刷を行う場合の例を示す図、図９は本発明の第２の実施の形態におけるフォント印刷時の印刷装置の動作を示すフローチャートである。
【００３０】
本実施の形態においては、フォント印刷時の印刷装置の動作について説明する。
【００３１】
まず、印刷装置の電源が投入されると、情報制御部１２は、記憶手段に格納され、登録されている文字フォントの情報を取得して、フォント情報を作成する。この場合、前記印刷装置にあらかじめ登録されている文字フォントのフォント情報を搭載フォントとし、オペレータが追加して登録した文字フォントのフォント情報を登録フォントとする。
【００３２】
ここで、前記フォント情報は、図６に示されるようなフォーマットを有する。この場合、前記フォント情報は、搭載フォントと登録フォントとに仕分けされている。そして、前記フォント情報のデータフォーマットにおいては、前記搭載フォントとして仕分けされたフォントの数を示す搭載フォント数枠が最上位に配設され、該搭載フォント数枠の下に搭載フォントとして仕分けされたフォントのデータが順次配設されている。また、搭載フォントとして仕分けされたフォントのデータに続いて、前記登録フォントとして仕分けされたフォントの数を示す登録フォント数枠が配設され、該登録フォント数枠の下に登録フォントとして仕分けされたフォントのデータが順次配設されている。
【００３３】
また、前記情報制御部１２は、オペレータによって新たな文字フォントが登録されると、前記フォント情報に、新たな文字フォントの情報を追加したフォント情報を作成する。なお、作成されたフォント情報は、前記フォント管理部１５において、格納され、管理される。
【００３４】
そして、オペレータが図示されない操作手段を操作することによってオペレーション操作が行われると、キー操作部１１は情報制御部１２にフォント印刷を行うためのキー情報を送信する。すると、前記情報制御部１２はフォント管理部１５に格納されているフォント情報を取得する。そして、前記情報制御部１２は図６に示されるようなフォーマットを有するフォント情報に含まれるすべての搭載フォント数及び登録フォント数をカウントする。
【００３５】
続いて、前記情報制御部１２は、フォント数としての前記搭載フォント数と登録フォント数との和がどの数値範囲にあるかを判断する。ここで、前記フォント数が４０以下である場合、前記情報制御部１２は情報編集部１３に１ページアップ処理を行わせる。そして、前記フォント数が４０以下である場合、「従来の技術」及び「発明が解決しようとする課題」において説明した従来の印刷装置と同様の方法でフォント印刷を行っても、すべての情報は１ページ内に印刷することができる。そこで、前記情報編集部１３はフォント情報に含まれるすべてのデータを従来の印刷装置と同様の方法で印刷するようにレイアウトを設定する。すなわち、フォント情報に含まれるすべてのデータを１ページアップ印刷になるように編集する。そして、編集された前記データは情報印刷部１４に送信されて紙等の印刷媒体に印刷される。
【００３６】
また、前記フォント数が４１以上であり８０以下である場合、前記情報制御部１２は情報編集部１３に２ページアップ処理を行わせる。前記フォント数が４１以上であり８０以下である場合、従来の印刷装置と同様の方法でフォント印刷を行うと印刷ページが２ページになる。そこで、前記情報編集部１３はフォント情報に含まれるすべてのデータを従来の印刷装置と同様の方法で印刷するようにレイアウトを設定する。これにより、すべてのデータが２ページに印刷されるようなレイアウトが設定される。そして、前記情報編集部１３は印刷される図形、文字等の属性データとしての縮尺率を変更し、２ページに印刷される内容が１ページに印刷されるように前記図形、文字等を縮小する。さらに、前記情報編集部１３は縮小された２ページが通常の１ページに収まるようにページの配列を設定する。すなわち、前記情報編集部１３はフォント情報に含まれるすべてのデータを２ページアップ印刷になるように編集する。そして、編集された前記データは情報印刷部１４に送信されて印刷媒体に印刷される。これにより、図７に示されるように、１ページの印刷媒体に２ページ分のデータが印刷される。
【００３７】
さらに、前記フォント数が８１以上である場合、前記情報制御部１２は情報編集部１３に４ページアップ処理を行わせる。前記フォント数が８１以上である場合、従来の印刷装置と同様の方法でフォント印刷を行うと印刷ページが３ページ又は４ページになる。そこで、前記情報編集部１３はフォント情報に含まれるすべてのデータを従来の印刷装置と同様の方法で印刷するようにレイアウトを設定する。これにより、すべてのデータが３ページ又は４ページに印刷されるようなレイアウトが設定される。そして、前記情報編集部１３は印刷される図形、文字等の属性データとしての縮尺率を変更し、４ページに印刷される内容が１ページに印刷されるように前記図形、文字等を縮小する。さらに、前記情報編集部１３は縮小された４ページが通常の１ページに収まるようにページの配列を設定する。すなわち、前記情報編集部１３はフォント情報に含まれるすべてのデータを４ページアップ印刷になるように編集する。そして、編集された前記データは情報印刷部１４に送信されて紙等の印刷媒体に印刷される。これにより、図８に示されるように、１ページの印刷媒体に４ページ分のデータが印刷される。なお、前記フォント数が８１以上であっても、従来の印刷装置と同様の方法でメニュー印刷を行って印刷ページが５ページ以上となることは、実際にはほとんどないと考えられる。そのため、本実施の形態においては、前記フォント数が８１以上である場合、４ページアップ処理を行わせるようになっている。
【００３８】
次に、図９に示されるフローチャートについて説明する。
ステップＳ１１  オペレーション操作を行う。
ステップＳ１２  フォント情報をメモリから取得する。
ステップＳ１３  搭載され、登録されているフォントの和を求める。
ステップＳ１４  全フォント数はいくつであるかを判断し、４０以下である場合はステップＳ１５に進み、４１以上８０以下である場合はステップＳ１６に進み、８１以上である場合はステップＳ１７に進む。
ステップＳ１５  １ページアップ印刷になるようにデータを編集する。
ステップＳ１６  ２ページアップ印刷になるようにデータを編集する。
ステップＳ１７  ４ページアップ印刷になるようにデータを編集する。
ステップＳ１８  データを印刷する。
【００３９】
このように、本実施の形態において、印刷装置のフォント印刷を行う場合、フォント数をカウントし、カウントした結果に基づいて印刷を行うことによって、印刷されるページを減らすようになっている。すなわち、フォント数が多く、従来の印刷装置と同様の方法でフォント印刷を行うと印刷ページが２ページになる場合には、２ページアップ処理を行い、１ページの印刷媒体に２ページ分のデータを印刷する。また、フォント数がさらに多く、従来の印刷装置と同様の方法でフォント印刷を行うと印刷ページが３ページ又は４ページになる場合には、４ページアップ処理を行い、１ページの印刷媒体に３ページ又は４ページ分のデータを印刷する。これにより、フォント印刷の際の紙やトナーの消費を低減することができる。さらに、環境に対する負荷を小さくすることができる。
【００４０】
なお、本発明は前記実施の形態に限定されるものではなく、本発明の趣旨に基づいて種々変形させることが可能であり、それらを本発明の範囲から排除するものではない。
【００４１】
例えば、本発明は格納ファイルリスト印刷や各種ログ印刷に適用することができる。また、４ページアップ印刷ではなく、縮小印刷を行うこともできる。また、本機能を有効にするか無効にするかを選択することができるメニュー項目を持つようにしてもよい。
【００４２】
【発明の効果】
以上詳細に説明したように、本発明によれば、画像形成装置においては、印刷媒体のサイズを検出するサイズ検出部と、前記サイズと印刷データとを比較するサイズ比較部と、前記印刷データが前記印刷媒体外にはみ出すと判定すると印刷のレイアウトを変更するレイアウト変更部とを有する。
【００４３】
この場合、消費される紙等の印刷媒体やトナー、インク等の現像剤を減らすことができ、印刷媒体や現像剤の消費を低減することができる。また、環境に対する負荷を小さくすることができる。
【図面の簡単な説明】
【図１】本発明の第１の実施の形態における印刷装置の構成を示すブロック図である。
【図２】本発明の第１の実施の形態におけるメニュー情報のフォーマットを示す図である。
【図３】本発明の第１の実施の形態における２ページアップでメニュー印刷を行う場合の例を示す図である。
【図４】本発明の第１の実施の形態における４ページアップでメニュー印刷を行う場合の例を示す図である。
【図５】本発明の第１の実施の形態におけるメニュー印刷時の印刷装置の動作を示すフローチャートである。
【図６】本発明の第２の実施の形態におけるフォント情報のフォーマットを示す図である。
【図７】本発明の第２の実施の形態における２ページアップでフォント印刷を行う場合の例を示す図である。
【図８】本発明の第２の実施の形態における４ページアップでフォント印刷を行う場合の例を示す図である。
【図９】本発明の第２の実施の形態におけるフォント印刷時の印刷装置の動作を示すフローチャートである。
【符号の説明】
１１    キー操作部
１２    情報制御部
１３    情報編集部
１４    情報印刷部
１５    フォント管理部
１６    メニュー管理部
【図１】
2004223941.tif 000003
【図２】
2004223941.tif 000004
【図３】
2004223941.tif 000005
【図４】
2004223941.tif 000006
【図５】
2004223941.tif 000007
【図６】
2004223941.tif 000008
【図７】
2004223941.tif 000009
【図８】
2004223941.tif 000010
【図９】
2004223941.tif 000011